【手続補正書】
【提出日】平成23年6月27日(2011.6.27)
【手続補正１】
【補正対象書類名】特許請求の範囲
【補正対象項目名】全文
【補正方法】変更
【補正の内容】
【特許請求の範囲】
【請求項１】
外部装置との無線接続の状態の変化を検出する検出手段と、
前記検出手段により前記無線接続の状態の変化が検出された後、前記無線接続の状態が復帰した場合に、当該復帰の前の無線接続で送信したデータファイルと異なるデータファイルを送信する送信手段と、を有することを特徴とする通信装置。
【請求項２】
前記検出手段は、無線接続の切断を検出することを特徴とする請求項１に記載の通信装置。
【請求項３】
前記検出手段は、無線接続の受信電界強度が予め定められた閾値よりも小さくなったことを検出することを特徴とする請求項１に記載の通信装置。
【請求項４】
前記無線接続の状態の復帰時に前記通信装置の所定の操作部の状態を判定する判定手段を更に有し、
前記送信手段は、当該通信装置が保持している複数のデータファイルを予め定められた基準でソートした順番に従って送信するよう制御し、送信すべきデータファイルを前記復帰の前に送信したデータファイルの次の順番のデータファイルとするか手前の順番のデータファイルとするかを、前記判定手段により判定された前記操作部の状態に応じて決定することを特徴とする請求項１に記載の通信装置。
【請求項５】
前記検出手段によって状態の変化が検出されるまでの無線接続の接続状態の期間を計測する計測手段を更に備え、
前記送信手段は、当該通信装置が保持している複数のデータファイルを予め定められた基準に従ってソートした順番に従ってデータファイルを送信するよう制御し、送信すべきデータファイルを前記復帰の前に送信したデータファイルの次の順番のデータファイルとするか手前の順番のデータファイルとするかを、前記計測手段により計測された接続状態の期間が予め定められたしきい値より大きいか否かに応じて決定することを特徴とする請求項１に記載の通信装置。
【請求項６】
外部装置との無線接続の状態の変化を検出する検出手段と、
前記検出手段により前記無線接続の状態の変化が検出された後、無線接続の状態が復帰した場合に、当該復帰の前の無線接続で受信したデータファイルと異なるデータファイルの送信を前記外部装置に要求する要求手段と、を有することを特徴とする通信装置。
【請求項７】
前記無線接続の状態の復帰時に所定の操作部の状態を判定する判定手段を更に備え、
前記要求手段は、前記判定手段により判定された前記操作部の状態に応じて、前記復帰の前に受信したデータファイルの次の順番のデータファイルを要求するか、手前の順番のデータファイルを要求するかを決定することを特徴とする請求項６に記載の通信装置。
【請求項８】
前記検出手段によって状態の変化が検出されるまでの無線接続の接続状態の期間を計測する計測手段を更に備え、
前記要求手段は、前記計測手段により計測された前記接続状態の時間に応じて、前記復帰の前に受信したデータファイルの次の順番のデータファイルを要求するか、手前の順番のデータファイルを要求するかを決定することを特徴とする請求項６に記載の通信装置。
【請求項９】
前記要求手段は、要求すべきデータファイルが既に前記外部装置から取得済みのデータファイルであった場合には、データファイルの送信を前記外部装置に要求しないことを特徴とする請求項７または８に記載の通信装置。
【請求項１０】
データ供給装置と、データ処理装置を有するシステムであって、
前記データ供給装置と前記データ処理装置との無線接続の状態の変化を検出する検出手段と、
前記検出手段で前記無線接続の状態の変化が検出された後、予め定められた時間内に前記無線接続の状態が復帰した場合に、当該復帰の前の無線接続で送信したデータファイルと異なるデータファイルを前記データ供給装置から前記データ処理装置に送信する送信手段と、を有することを特徴とするデータ通信システム。
【請求項１１】
前記送信手段による送信は、前記データ供給装置が、前記復帰の検出に応じて、当該復帰の前の無線接続で送信したデータファイルと異なるデータファイルを選択して送信することを特徴とする請求項１０に記載のデータ通信システム。
【請求項１２】
前記送信手段による送信は、前記データ処理装置が、前記復帰の検出に応じて、当該復帰の前の無線接続で受信したデータファイルと異なるデータファイルを前記データ供給装置に要求して、データファイルが送信されることを特徴とする請求項１０に記載のデータ通信システム。
【請求項１３】
前記データ供給装置と前記データ処理装置の無線接続が確立した場合に、上位プロトコルが論理的に接続状態となり、
前記検出手段で前記無線接続の状態の変化が検出されてから前記予め定められた時間内に復帰しなかった場合に、前記上位プロトコルが論理的に切断状態となることを特徴とする請求項１０に記載のデータ通信システム。
【請求項１４】
通信装置の制御方法であって、
外部装置との無線接続の状態の変化を検出する検出工程と、
前記検出工程において前記無線接続の状態の変化が検出された後、前記無線接続の状態が復帰した場合に、当該復帰の前の無線接続で送信したデータファイルと異なるデータファイルを送信する送信工程と、を有することを特徴とする制御方法。
【請求項１５】
通信装置の制御方法であって、
外部装置との無線接続の状態の変化を検出する検出工程と、
前記検出工程において前記無線接続の状態の変化が検出された後、無線接続の状態が復帰した場合に、当該復帰の前の無線接続で受信したデータファイルと異なるデータファイルの送信を前記外部装置に要求する要求工程と、を有することを特徴とする制御方法。
【請求項１６】
請求項１４または１５に記載の制御方法の各工程をコンピュータに実行させるためのプログラム。
【手続補正２】
【補正対象書類名】明細書
【補正対象項目名】発明の名称
【補正方法】変更
【補正の内容】
【発明の名称】通信装置、データ通信システム、通信装置の制御方法及びプログラム
【手続補正３】
【補正対象書類名】明細書
【補正対象項目名】０００６
【補正方法】変更
【補正の内容】
【０００６】
上記の目的を達成するための本発明の一態様による通信装置は、
外部装置との無線接続の状態の変化を検出する検出手段と、
前記検出手段により前記無線接続の状態の変化が検出された後、前記無線接続の状態が復帰した場合に、当該復帰の前の無線接続で送信したデータファイルと異なるデータファイルを送信する送信手段と、を有する。
【手続補正４】
【補正対象書類名】明細書
【補正対象項目名】０００７
【補正方法】変更
【補正の内容】
【０００７】
また、上記の目的を達成するための本発明の他の態様による通信装置は、
外部装置との無線接続の状態の変化を検出する検出手段と、
前記検出手段により前記無線接続の状態の変化が検出された後、無線接続の状態が復帰した場合に、当該復帰の前の無線接続で受信したデータファイルと異なるデータファイルの送信を前記外部装置に要求する要求手段と、を有する。
【手続補正５】
【補正対象書類名】明細書
【補正対象項目名】０００８
【補正方法】変更
【補正の内容】
【０００８】
更に、上記の目的を達成するための本発明の他の態様によるデータ通信システムは、
データ供給装置と、データ処理装置を有するシステムであって、
前記データ供給装置と前記データ処理装置との無線接続の状態の変化を検出する検出手段と、
前記検出手段で前記無線接続の状態の変化が検出された後、予め定められた時間内に前記無線接続の状態が復帰した場合に、当該復帰の前の無線接続で送信したデータファイルと異なるデータファイルを前記データ供給装置から前記データ処理装置に送信する送信手段と、を有する。
【手続補正６】
【補正対象書類名】図面
【補正対象項目名】図１２
【補正方法】変更
【補正の内容】
【図１２】
2010011365.tif 000001